(57)【要約】【課題】  携帯端末のユーザに、当該ユーザに適した情報を提供することができ、各ユーザが，情報提供者側に個人情報を通知する必要がない情報提供システムを、提供する。【解決手段】  情報提供システムを、複数の提供用情報を性別等の個人情報別に記憶した情報記憶部１１と、性別等を指定した所定形式のコマンドの受信時に、当該性別等に応じた提供用情報を情報記憶部１１から読み出して送信する要求応答部１２とを備えるＩＣタグ１０と、ユーザにより設定された当該ユーザの性別等記憶した個人情報記憶部２２と、個人情報記憶部２２に記憶された性別等を含めたコマンドを送信することにより、ＩＣタグ１０から提供用情報を得て、ディスプレイ上に表示する情報提供処理部２３とを備える携帯端末２０とにより構成されたシステムとする。【選択図】  図１
2006039960.tif 000002
【特許請求の範囲】
【請求項１】
１台以上の携帯端末と、それぞれ，物品に取り付けられた複数のＩＣタグとを含む情報提供システムであって、
前記複数のＩＣタグのそれぞれが、
複数の提供用情報，及び，各提供用情報を情報識別用データに対応付ける対応関係情報を記憶した提供用情報記憶手段と、
情報識別用データを含む所定形式のコマンドを受信した時に、前記提供用情報記憶手段に記憶されている前記対応関係情報に基づき、前記提供用情報記憶手段に記憶されている前記複数の提供用情報の中から、当該コマンドに含まれる前記情報識別用データに対応付けられている提供用情報を特定し、特定した提供用情報を送信する提供用情報送信手段と
を備え、
前記１台以上の携帯端末のそれぞれが、
ユーザにより設定された当該ユーザの個人情報を情報識別用データとして記憶した情報識別用データ記憶手段と、
前記情報識別用データ記憶手段に記憶された情報識別用データを含めた前記所定形式のコマンドを送信するコマンド送信手段と、
このコマンド送信手段により送信された前記コマンドを受信した前記ＩＣタグが送信した前記提供用情報を受信し、ディスプレイ上に表示する提供用情報受信・表示手段と
を備える
ことを特徴とする情報提供システム。
【請求項２】
前記複数のＩＣタグのそれぞれが、
所定のコマンドを受信した時に、前記情報識別用データの種類を示す種類情報を送信する種類情報送信手段
をさらに備え、
前記１台以上の携帯端末のそれぞれが、
前記情報識別用データ記憶手段として、ユーザにより設定された，当該ユーザの複数種類の個人情報をそれぞれ情報識別用データとして記憶可能な手段を備えると共に、
前記コマンド送信手段として、前記所定のコマンドを送信することにより前記種類情報を前記ＩＣタグから受信した後、前記情報識別用データ記憶手段に記憶されている，当該受信した前記種類情報にて特定される前記情報識別用データを含めた前記所定形式のコマンドを送信する手段を備えたものである
ことを特徴とする請求項１記載の情報提供システム。
【請求項３】
前記１台以上の携帯端末のそれぞれが備える前記コマンド送信手段が、
前記所定のコマンドを送信することにより前記ＩＣタグから所定内容の種類情報を受信した場合、現在日時を示す情報を前記情報識別用データとして含めた前記所定形式のコマンドを送信する手段である
ことを特徴とする請求項２記載の情報提供システム。
【請求項４】
前記１台以上の携帯端末のそれぞれが備える前記提供用情報受信・表示手段が、
前記ＩＣタグから受信した提供用情報がＵＲＬであった場合には、当該ＵＲＬで識別される情報を取得してディスプレイ上に表示する手段である
ことを特徴とする請求項１乃至請求項３のいずれかに記載の情報提供システム。
【発明の詳細な説明】
【技術分野】
【０００１】
本発明は、ユーザ（携帯端末のユーザ）に情報を提供するための情報提供システムに関する。
【背景技術】
【０００２】
周知のように、近年、広告情報を表示している装置に、非接触ＩＣタグが装着された携帯電話を近づけると、特定のメール配信用サーバから、当該携帯電話に宛てて、表示中の広告情報に関連する情報のメールが配信される技術（例えば、非特許文献１参照。）が、開発されている。
【０００３】
この技術（以下、ＩＣタグ利用広告配信技術と表記する）によれば、携帯電話の各ユーザに、ユーザの性別等に応じた情報を提供することが出来る。ただし、既存のＩＣタグ利用広告配信技術は、いわゆるユーザ登録を嫌うユーザに対する情報の提供には、使用できないものとなっている。何故ならば、既存のＩＣタグ利用広告配信技術は、メール配信用サーバ内に、各ユーザのメールアドレス等を記憶しておくことが必要なもの（いわゆるユーザ登録が必要なもの）となっているからである。
【非特許文献１】「携帯電話機を画面にかざし情報入手」、2001年9月11日、BizTech編集、（株）日経ＢＰ発行
【発明の開示】
【発明が解決しようとする課題】
【０００４】
本発明は、上記現状に鑑みなされたものであり、本発明の課題は、携帯端末のユーザに、当該ユーザに適した情報を提供することが可能であると共に、各ユーザがユーザ登録相当の作業（情報提供者側に個人情報を通知する行為）を行う必要がない情報提供システムを、提供することにある。
【課題を解決するための手段】
【０００５】
上記課題を解決するために、本発明では、ユーザに情報を提供するための情報提供システムを、１台以上の携帯端末と、それぞれ，物品に取り付けられた複数のＩＣタグとを含むシステムであって、複数のＩＣタグのそれぞれが、複数の提供用情報，及び，各提供用情報を情報識別用データに対応付ける対応関係情報を記憶した提供用情報記憶手段と、情報識別用データを含む所定形式のコマンドの受信時に、提供用情報記憶手段に記憶されている対応関係情報に基づき、提供用情報記憶手段に記憶されている複数の提供用情報の中から、当該コマンドに含まれる情報識別用データに対応付けられている提供用情報を特定し、特定した提供用情報を送信する提供用情報送信手段とを備えるものであり、１台以上の携帯端末のそれぞれが、ユーザにより設定された当該ユーザの個人情報を情報識別用データとして記憶した情報識別用データ記憶手段と、情報識別用データ記憶手段に記憶された情報識別用データを含めた所定形式のコマンドを送信するコマンド送信手段と、このコマンド送信手段により送信されたコマンドを受信したＩＣタグが送信した提供用情報を受信し、ディスプレイ上に表示する提供用情報受信・表示手段とを備える端末であるシステムとして構成しておく。
【０００６】
すなわち、本発明の情報提供システムは、何らかの物品（商品や印刷物）に何らかの形で取り付けられているＩＣタグと、携帯端末との間で通信が行われることにより、当該携帯端末のユーザに、当該ユーザに適した情報（ユーザが設定した個人情報／情報識別用データに対応付けられている提供用情報）が提供される構成を、有する。従って、この情報提供システムを用いれば、ユーザ登録相当の作業（情報提供者側に個人情報を通知する行為）を行う必要が全くない形で、各携帯端末のユーザに、当該ユーザに適した内容の情報を提供できることになる。
【０００７】
本発明の情報提供システムを実現するに際しては、各ＩＣタグを、所定のコマンドの受信時に、情報識別用データの種類を示す種類情報を送信する種類情報送信手段をさらに備えるものとしておくと共に、各携帯端末を、情報識別用データ記憶手段として、ユーザにより設定された，当該ユーザの複数種類の個人情報をそれぞれ情報識別用データとして記憶可能な手段を備え、コマンド送信手段として、所定のコマンドを送信することにより種類情報をＩＣタグから受信した後、情報識別用データ記憶手段に記憶されている，当該受信した種類情報にて特定される情報識別用データを含めた所定形式のコマンドを送信する手段を備えたＩＣタグとしておくことが出来る。換言すれば、本発明の情報提供システムを、「携帯端末から通知された性別に基づき、送信する提供用情報を変えるＩＣタグ」、「携帯端末から通知された年齢に基づき、送信する提供用情報を変えるＩＣタグ」といった何種類かのＩＣタグと、それらのＩＣタグのいずれからも、提供用情報を受信することが可能な携帯端末とを含むシステムとして実現しておくことも出来る。
【０００８】
また、各携帯端末が備えるコマンド送信手段を、所定のコマンドを送信することによりＩＣタグから所定の種類情報を受信した場合、現在日時を示す情報（日付、現在日時、現在時刻等）を情報識別用データとして含めた所定形式のコマンドを送信する手段とする形で、本発明の情報提供システムを実現しておいても良い。なお、このような形で実現された本発明の情報提供システムによれば、各ＩＣタグの製造コストを上昇させることなく（各ＩＣタグにＲＴＣを搭載することなく）、現在日時等に応じた内容の提供用情報をユーザに提供できることになる。
【０００９】
また、各携帯端末が備える提供用情報受信・表示手段を、ＩＣタグから受信した提供用情報がＵＲＬであった場合には、当該ＵＲＬで識別される情報を取得してディスプレイ上に表示する手段とする形で、本発明の情報提供システムを実現しておいても良い。
【発明を実施するための最良の形態】
【００１０】
以下、本発明を実施するための最良の形態を、図面を参照して詳細に説明する。
【００１１】
本発明の一実施形態に係る情報提供システムは、物品（商品や印刷物）に何らかの形で取り付けられた複数個のＩＣタグと、所定機能を有する１台以上の携帯端末とを、含むシステムである。
【００１２】
図１（Ａ）に模式的に示してあるように、本実施形態に係る情報提供システムに含まれるＩＣタグ１０は、情報記憶部１１と要求応答部１２とを備えたものである。また、図１（Ｂ）に模式的に示してあるように、情報提供システムに含まれる携帯端末２０は、ＩＣタグリーダ２１と個人情報記憶部２２と情報提供処理部２３とディスプレイ（図示せず）とを備えたものとなっている。
【００１３】
ＩＣタグ１０が備える情報記憶部１１は、図２〜図４に示したような内容の情報が設定（記録）されたユニット（不揮発性メモリ；請求項１等における「提供用情報記憶手段」に相当）である。
【００１４】
すなわち、情報記憶部１１は、表示用情報と情報サーバＵＲＬとからなる複数個の提供用情報を、「住所」，「年齢及び性別」，「現在日時」等の指定用情報（請求項１等における「情報識別用データ」に相当）が定まれば（与えられれば）、１つの提供用情報が定まる形（請求項１等における「対応関係情報」に相当）で記憶したユニットとなっている。なお、図２〜４中に明示的には示してないが、情報記憶部１１は、１つの提供用情報を定めるために必要な情報の種類を示す指定用情報種類値が、設定されたユニットともなっている。また、この情報記憶部１１の具体的な用途については後述するが、この情報記憶部１１に有意な（"null"でない）情報サーバＵＲＬが設定されるのは、当該情報サーバＵＲＬに基づきインターネット上から表示用情報を取得することが出来る環境が実現されている場合（インターネット上に表示用情報を返送可能なサーバが用意されている場合）である。
【００１５】
ＩＣタグ１０が備える要求応答部１２（図１）は、指定用情報種類値要求コマンドや、提供用情報要求コマンドに応答可能なユニット（請求項１等における「提供用情報送信手段」に相当）である。
【００１６】
ここで、指定用情報種類値要求コマンドとは、コマンドコードのみからなるコマンド（請求項２における「所定のコマンド」に相当）のことである。この指定用情報種類値要求コマンドを受信した要求応答部１２は、情報記憶部１１に記憶されている指定用情報種類値（請求項２における「種類情報」に相当）を送信する処理を行う。また、提供用情報要求コマンドとは、コマンドコードと指定用情報（「住所」等）とからなるコマンド（請求項１等における「所定形式のコマンド」に相当）のことである。この提供用情報要求コマンドを受信した要求応答部１２は、情報記憶部１１から、受信した提供用情報要求コマンドに含まれていた指定用情報に対応付けられている提供用情報（表示用情報及び情報サーバＵＲＬ）を読み出し、読み出した提供用情報を送信する処理を行う。
【００１７】
携帯端末２０（図１）が備えるＩＣタグリーダ２１は、情報提供処理部２３の制御下、ＩＣタグ１０との間で通信を行うユニットである。
【００１８】
携帯端末２０が備える個人情報記憶部２２は、携帯端末２０のユーザに関する個人情報（住所，年齢，性別，興味がある分野に関する情報等）を記憶したユニットである。また、情報提供処理部２３は、ユーザから所定の指示（ＩＣタグ１０の読み取りを命ずる指示）が与えられたときに、所定の処理（詳細は後述）を実行するユニットである。
【００１９】
なお、この携帯端末２０は、ＩＣタグリーダ２１が組み込まれた携帯情報端末（インターネットに接続可能なもの）に、情報提供処理プログラムをインストールすることによって実現（製造）されている。そして、情報提供処理プログラムは、初回起動時に、ユーザに各種個人情報を入力させ、ユーザにより入力された各種個人情報を携帯端末２０のＨＤＤ内に記憶するプログラムとなっており、本明細書では、当該携帯情報端末のＨＤＤの，個人情報の記憶に用いられている部分のことを，個人情報記憶部２２と表記し、当該携帯情報端末内の情報提供処理プログラム（個人情報の入力が完了している状態のもの）の実行に関係する部分（ＣＰＵ，ＲＡＭ等からなる部分）のことを，情報提供処理部２３と表記している。また、この携帯端末２０は、個人情報記憶部２２が、請求項１等における「情報識別用データ記憶手段」に相当し、情報提供処理部２３とＩＣタグリーダ２１とからなる部分が、請求項１等における「コマンド送信手段」及び「提供用情報受信・表示手段」に相当するものとなっている。
【００２０】
以下、携帯端末２０（情報提供処理部２３）の動作を説明する。
【００２１】
情報提供処理部２３は、ユーザから所定の指示（ＩＣタグ１０の読み取りを命ずる指示）が与えられたときに、図５にその手順を示した処理を実行するユニットとなっている。
【００２２】
すなわち、ユーザから所定の指示が与えられた情報提供処理部２３（情報提供処理プログラム）は、まず、ＩＣタグリーダ２１を制御することにより、ＩＣタグ１０から指定用情報種類値を取得する処理(ステップＳ１０１)を行う。すなわち、このステップＳ１０１にて、情報提供処理部２３は、ＩＣタグリーダ２１に指定用情報種類値要求コマンドを送信させる処理と、ＩＣタグリーダ２１がＩＣタグ１０から受信した指定用情報種類値を、ＩＣタグリーダ２１より受け取る処理とを、行う。
【００２３】
次いで、情報提供処理部２３は、取得した指定用情報種類値にて特定される種類の情報を個人情報記憶部２２から読み出す処理(ステップＳ１０２)を行う。そして、情報提供処理部２３は、読み出した情報を指定用情報として設定した提供用情報要求コマンドをタグリーダ２１に送信させることにより、ＩＣタグ１０から提供用情報を取得する処理(ステップＳ１０３)を行う。
【００２４】
なお、流れ図への表記は省略してあるが、情報提供処理部２３は、取得した指定用情報種類値が日付を表すものであった場合、ステップＳ１０２にて個人情報記憶部２２にアクセスする処理を行うことなく、ステップＳ１０３にて、当日の日付を表す情報（携帯端末２０が管理している日時情報）を指定用情報として設定した提供用情報要求コマンドをタグリーダ２１に送信させることにより、ＩＣタグ１０から提供用情報を取得する処理を行う。
【００２５】
ステップＳ１０３の処理を終えた情報提供処理部２３は、取得した提供用情報に、有意な（"null"ではない）情報サーバＵＲＬが含まれているか否かを判断する(ステップＳ１０４)。そして、情報提供処理部２３は、取得した提供用情報に、有意な情報サーバＵＲＬが含まれていた場合(ステップＳ１０４；ＹＥＳ)には、その情報サーバＵＲＬで識別される表示用情報をインターネット上から取得する処理(ステップＳ１０５)を行ってから、取得した表示用情報をディスプレイ上に表示する処理(ステップＳ１０６)を行う。
【００２６】
一方、提供用情報に、有意な情報サーバＵＲＬが含まれていなかった場合(ステップＳ１０４；ＮＯ）、情報提供処理部２３は、ＩＣタグ１０から取得した提供用情報中の表示用情報をディスプレイ上に表示する処理(ステップＳ１０６)を行う。
【００２７】
そして、表示用情報をディスプレイ上に表示した情報提供処理部２３は、図５の処理を終了する。
【００２８】
本実施形態に係る情報提供システムは、上記したような携帯端末２０及びＩＣタグ１０から構成されている。このため、この情報提供システムでは、例えば、図２に示した情報が記憶されたＩＣタグ１０からの情報読み出しを、横浜市鶴見区に住んでいるユーザが自分の携帯端末２０（個人情報記憶部２２に、住所が、横浜市鶴見区であることが記憶されている携帯端末２０）を用いて行った場合には、当該携帯端末２０のディスプレイ上に、「横浜北営業所の電話番号は、045-aaa-aaaaです。」といった情報が表示されることになる。これに対して、同じＩＣタグ１０からの情報読み出しを、横浜市金沢区に住んでいるユーザが自分の携帯端末２０を用いて行った場合には、当該携帯端末２０のディスプレイ上に、「横浜南営業所の電話番号は、045-ccc-ccccです。」といった情報が表示されることになる。
【００２９】
また、図３に示した情報が記憶されたＩＣタグ１０からの情報読み出しを、３０代の男性ユーザが自分の携帯端末２０を用いて行った場合には、当該携帯端末２０のディスプレイ上に、「http://business.shop.jpにアクセスしてみて下さい。…」といった情報（“…”の部分に、図示を省略した文を含む情報）が表示されることになる。これに対して、同じＩＣタグ１０からの情報読み出しを、３０代の女性ユーザが自分の携帯端末２０を用いて行った場合には、当該携帯端末２０のディスプレイ上に、「http://www.shop.jpにアクセスしてみて下さい。…」といった情報が表示されることになる。
【００３０】
このように、本実施形態に係る情報提供システムを用いれば、各ユーザが、自身の携帯端末２０に自身に関する個人情報を設定しておきさえすれば、情報提供者側に個人情報を通知することなく、各ＩＣタグ１０から自身に適した情報を取得できる環境を実現できることになる。
【００３１】
また、図４に示した情報が記憶されたＩＣタグ１０からの情報読み出しを、ユーザが自分の携帯端末２０を用いて、２００４年４月１日〜２００４年６月３０日の期間内に行った場合には、当該携帯端末２０のディスプレイ上に、「キャンペーン第一弾  全品２０％ＯＦＦ  （２００４年６月末まで）」といった情報が表示されることになる。これに対して、同じＩＣタグ１０からの情報読み出しを、２００４年７月１日〜２００４年９月３０日の期間内に行った場合には、当該携帯端末２０のディスプレイ上に、「キャンペーン第二弾  お奨め１０アイテムが半額  （２００４年９月末まで）」といった情報が表示されることになる。また、同じＩＣタグ１０からの情報読み出しを、２００４年１０月１日以後に行った場合には、サーバに設定されている表示用情報（例えば、キャンペーンが終了した旨の情報や、キャンペーン第三弾が行われてる旨の情報）が、携帯端末２０のディスプレイ上に表示されることになる。
【００３２】
従って、本実施形態に係る情報提供システムは、日付等により内容が変わる情報を、安価なＩＣタグ１０を用いて（ＲＴＣ[real time clock]をＩＣタグ１０に搭載することなく）、ユーザへ提供可能なシステムであると共に、ＩＣタグ１０の製造完了後にその内容を定めた情報を、ユーザへ提供することも可能なシステムとなっていると言うことも出来る。
【００３３】
＜変形形態＞
上記した実施形態に係る情報提供システムは、各種の変形を行うことが出来る。例えば、ＩＣタグ１０、携帯端末２０を、指定用情報種類値要求コマンドに関する機能や情報サーバＵＲＬに関する機能を有さないものに変形しておいても良い。また、携帯端末２０を、個人情報記憶部２２に記憶されている情報を全て含むコマンドをＩＣタグ１０に対して送信するものとしておくと共に、ＩＣタグ１０を、当該コマンドに含まれる情報群に基づき、いずれの提供用情報を送信するかを決定するものとしておいても良い。換言すれば、情報提供システムを、ＩＣタグ１０が実際には必要としない個人情報も、携帯端末２０からＩＣタグ１０に渡されるシステムとして実現しておいても良い。
【００３４】
また、上記した情報提供システムは、携帯情報端末（いわゆるＰＤＡ）が携帯端末２０として用いられたシステムであったが、情報提供システムを、携帯電話が携帯端末２０として用いられたシステムに変形しても良い。また、情報記憶部１１の具体的な構成（ＩＣタグ１０内に記憶される情報の種類や形式）、個人情報記憶部２２の具体的な構成（ユーザにより設定され、携帯端末２０内に記憶される情報の種類や形式）を、上記したものとは異なるものとしても良いことなどは、当然のことである。
【図面の簡単な説明】
【００３５】
【図１】本発明の一実施形態に係る情報提供システムの構成要素であるＩＣタグ、携帯端末の構成を示すブロック図である。
【図２】実施形態に係るＩＣタグが備える情報記憶部の説明図である。
【図３】実施形態に係るＩＣタグが備える情報記憶部の説明図である。
【図４】実施形態に係るＩＣタグが備える情報記憶部の説明図である。
【図５】実施形態に係る携帯端末（情報提供処理部）の動作手順を示す流れ図である。
【符号の説明】
【００３６】
１０  ＩＣタグ
１１  情報記憶部
１２  要求応答部
２０  携帯端末
２１  ＩＣタグリーダ
２２  個人情報記憶部
２３  情報提供処理部
【図５】
2006039960.tif 000003
【図１】
2006039960.tif 000004
【図２】
2006039960.tif 000005
【図３】
2006039960.tif 000006
【図４】
2006039960.tif 000007